(57)【特許請求の範囲】
【請求項１】
建物の外壁とは別にその外壁のコーナーの外側に取り付けられて外壁面の凹凸感を表現させるための断面Ｌ字形の化粧壁パネルの取り付け構造であって、前記コーナーには金属製出隅柱を取り付け、同じくコーナーから所定間隔を置いてそのコーナー両側の外壁面に平柱を取り付けて、前記化粧壁パネルをこれら出隅柱と平柱の外側面に固定してなると共に、化粧壁パネルの上端から外壁面までを覆う上部カバーを取り付け、出隅柱及び平柱の下端面に跨って底板を取り付けてなることを特徴とする外壁コーナーにおける化粧壁の取り付け構造。
【請求項２】
前記出隅柱及び平柱の外側面に取付金具が固定され、化粧壁パネルの上端及び下端をこの取付金具で支持させた請求項１記載の外壁コーナーにおける化粧壁の取り付け構造。
【請求項３】
化粧壁パネルの下端においては、その下端面に形成された溝を、取り付け金具の支持片へ係合して支持させてある請求項２記載の外壁コーナーにおける化粧壁の取り付け構造。
【請求項４】
化粧壁パネルは、下地板の表面にタイルを張付けたタイルパネルである請求項１から３のいずれかに記載した外壁コーナーにおける化粧壁の取り付け構造。
【請求項５】
前記外壁のコーナーが、建物本体の外壁面より張出した出窓のコーナーである請求項１から４のいずれかに記載した外壁コーナーにおける化粧壁の取り付け構造。
【発明の詳細な説明】
【０００１】
【発明の属する技術分野】
この発明は、主として住宅の外壁のコーナーに取り付けられる化粧壁パネルの取り付け構造に関するものである。
【０００２】
【従来の技術】
住宅の外壁において、コーナーに他の外壁面とは異なるデザインを採用することによって、外観に変化を持たせ、高級感を現出することができる。たとえば、コーナー部分に別種類の外壁材を用いることで、この様なものを実現することができる。
【０００３】
【発明が解決しようとする課題】
しかしながら、そのように外壁材に他の外壁材とは異なるものを用いると、そのようなデザインを採用する場合としない場合とで異なる外壁材が必要となり、しかも、かかる外壁材は気密・断熱性及び防音性が必要で、場合によっては、取り付け構造も異なることとなるため、コスト高となる。
【０００４】
また、単純に異なる外壁材を用いたものでは、外壁面の凹凸感を十分に表現できない不都合がある。
【０００５】
この発明は、この様な点に鑑みて、外壁のコーナーの外観意匠に優れ、しかも低コストで施工できるようにしたコーナー用化粧壁パネルの取り付け構造を提供することを目的としてなされたものである。
【０００６】
【課題を解決するための手段】
上記の課題を解決するため、この発明は、建物の外壁とは別にその外壁のコーナーの外側に取り付けられて外壁面の凹凸感を表現させるための断面Ｌ字形の化粧壁パネルの取り付け構造であって、前記コーナーには金属製出隅柱を取り付け、同じくコーナーから所定間隔を置いてそのコーナー両側の外壁面に平柱を取り付けて、前記化粧壁パネルをこれら出隅柱と平柱の外側面に固定してなると共に、化粧壁パネルの上端から外壁面までを覆う上部カバーを取り付け、出隅柱及び平柱の下端面に跨って底板を取り付けてなることを特徴とするものが提供される。
【０００７】
また、前記出隅柱及び平柱の外側面には取付金具が固定され、化粧壁パネルの上端及び下端をこの取付金具で支持させる。
【０００８】
その際、化粧壁パネルの下端においては、その下端面に形成された溝を、取り付け金具の支持片へ係合して支持させることが考えられる。
【０００９】
上記において、化粧壁パネルは、下地板の表面にタイルを張付けたタイルパネルが考えられる。
【００１０】
同じく、前記外壁のコーナーは、通常、建物本体の外壁面より張出した出窓のコーナーが考えられる。
【００１１】
【発明の実施の形態】
図１は、住宅のファサードを構成する外壁の張出し壁（１) において、この発明の化粧壁パネル（２)(２）を、その正面の左右両側のコーナー部分に取り付けた場合の実施形態を示している。
【００１２】
図２以下は、この出窓（１）への化粧壁パネル（２）の取付け方法を、その施工順に従って説明したものである。図２において、出窓（１）の外壁面（３）には、そのコーナー部分に出隅柱（４）が、更に、その出隅柱（４）から所定間隔をおいた位置で、コーナーを挟んだ両外壁面（３)(３）に平柱（５)(５）を取り付けている。
【００１３】
出隅柱（４）は、図１０で示すように、アルミニウム等の押し出し材からなる金属又は板金製であって、三角形に近い概略断面五角形状の柱本体（６）のコーナー部分に、前記外壁面（３）のコーナーに沿うような一対の取付け片（７)(７）を一体に形成し、他の二つの頂点部分には、前記外壁面と平行方向にのびる金具受け片（８)(８）を一体に形成している。そして、取付け片（７）が、前記コーナーを跨ぐようにして外壁面（３）へビス（９）によって固定されて、このコーナー部分に沿うようにして垂直方向に取り付けられる。
【００１４】
他方、平柱（５）は、断面が長方形状であって、その一方の短辺部より延長外方向に突出するようにして、取付け片(10)(10)が一体に形成されている。この平柱（５）もアルミニウム等の金属の押し出し材又は金属板等からなるものであって、前記取付け片(10)において、外壁面（３）へビス（９）によって夫々固定されている。
【００１５】
また、これら出隅柱（４）と平柱（５）の下端には、図３で示すように、正面から見てＬ字形のブラケット(14)が固定され、このブラケット(14)(14)の下面間に跨るようにして、平板状の底板(15)が取り付けられ、これによって、各柱（４)(５）の下端間を塞ぐようにしている。
【００１６】
更に、出隅柱（４）と平柱（５）の上端には、倒Ｌ字形の上部ブラケット(16)(16)が取り付けられ、このブラケット(16)(16)…の上部水平片の上面間に跨るようにして、下地木(17)が固定される。次に、図５で示すように、出隅柱（４）においては、前記の金具受け片（８）の外側面に、平柱（５）においてはその本体の外側面に、同じ構造のパネル取付け金具(18)がビス等によって固定される。
【００１７】
上記取付金具(18)は、図６で示すように、側面から見て、コの字形に形成された本体部(19)の上端より垂直方向に取付け片(20)を一体に形成して、この取付け片(20)を各柱（４)(５）へビス(30)等によって固定するものである。
【００１８】
そして、本体部(19)の外側面中央には、先端が二股状となった倒Ｙ字形の支持片(21)が一体に形成されている。
【００１９】
この実施形態における化粧壁パネル（２）は、図６以下に示すように、下地板(22)の外表面に多数のタイル(23)(23)…を接着剤等によって貼り付けたタイルパネルであって、図６において、下地板(22)の下端面には、その下端面から裏面側にかけて切欠(27)が設けられて、この切欠(27)の上部壁より上方に向けて係合溝(24)が形成されており、この係合溝(24)を、前記Ｙ字形の支持片(21)へ上方から係合させるようにして、各柱（４)(５）の外側に設置する。
【００２０】
他方、下地板(22)の上端側においては、図７で示すように、前記下端側の切欠(27)にはまり合うような突起(28)が一体に形成され、この突起(28)は、これに対応して設けた支持片(21)における下側の凹部(29)へ嵌め込むようにして、この化粧壁パネル（２）の上端を支持させるものである。
【００２１】
これら化粧壁パネル（２）と取付金具(18)の取付けは、まず、壁パネル（２）の下端を支持する取付金具(19)を取付け、ついで、壁パネル（２）の取付け、更に、その壁パネル（２）の上端を支持する取付金具(18)の取り付け、更に、その取付金具(18)によって上部側の別の壁パネル（２）を支持させるといった順に、下側から順次施工していくものである。
【００２２】
最後に、上記のようにして、化粧壁パネル（２）を取り付けた後、この最上端の化粧壁パネル（２）の上端から、外壁面（３）との間に跨るようにして、側面から見て概略Ｌ字形の化粧カバー(25)が取り付けられる。この化粧カバー(25)は、前記下地木(17)の外側面に当接して固定され、外壁面（３）との境界部分には、シーリング(26)が施される。
【００２３】
加えて、この上部化粧カバー(25)の外側面から最上端の壁パネル（２）上端に跨るようにして、やや上下方向に幅の広い外部化粧カバー(27)が取り付けられる。
【００２４】
【発明の効果】
以上のようにこの発明によれば、建物の外壁のコーナー部分に、その建物の外壁とは別に金属製又は板金製の柱を取り付けて、その外側に化粧壁パネルを取り付けているから、従来のように、建物の本体を構成する外壁材は他の部分の外壁材と同じものを連続して使用でき、したがって、その施工作業も同一で、かつ、気密、断熱或いは防音性に優れたものが得られるとともに、化粧壁パネル自体はこのような建物の構造に必要な要素を必要としないから、単純に外観意匠だけを考慮すればよく、全体として、低コストに施工できるという効果がある。又、既存の建築物にも施工が可能である。
【００２５】
しかも、通常の外壁面の外側に柱を設けて、その柱の外側に化粧壁パネルを取り付けることによって、この化粧壁パネルが吹かし状態で突出して設けられ、この部分の厚みによって建物の凹凸感を強調し、より高級感のある、外観デザインに優れたものが得られる。
【図面の簡単な説明】
【図１】  この発明の化粧壁パネルを取り付けた建物の出窓の部分の斜視図である。
【図２】  外壁面に出隅柱と平柱を取り付けた状態を示す要部の斜視図である。
【図３】  出隅柱と平柱の下端に底板を取り付ける前の状態の要部の斜視図である。
【図４】  同じく出隅柱と平柱の上端に下地木を取り付ける前の状態の要部の斜視図である。
【図５】  出隅柱と平柱の下端部分への取付金具の取り付け状況を示す要部の斜視図である。
【図６】  取付金具への化粧壁パネルの取り付け方法を示す要部の断面図である。
【図７】  同じく、化粧壁パネルの上端側を取付金具で支持する方法を示す要部の縦断面図である。
【図８】  化粧壁パネル上端部分を覆う化粧カバーの取り付け方法を示す要部の斜視図である。
【図９】  化粧壁パネルと化粧カバー取付け後の状態を示す要部の縦断面図である。
【図１０】  同じく要部の横断面図である。
【符号の説明】
（１) 出窓
（２) 化粧壁パネル
（３) 外壁面
（４) 出隅柱
（５) 平柱
(18)  取付金具
(22)  下地板
(23)  タイル
(25)  上部化粧カバー
(26)  上部外側化粧カバー
【図１】
0003700748.tif 000002
【図２】
0003700748.tif 000003
【図３】
0003700748.tif 000004
【図４】
0003700748.tif 000005
【図５】
0003700748.tif 000006
【図６】
0003700748.tif 000007
【図７】
0003700748.tif 000008
【図８】
0003700748.tif 000009
【図９】
0003700748.tif 000010
【図１０】
0003700748.tif 000011